(57)【特許請求の範囲】
【請求項１】
両側壁部及び底壁部からなり、底部上面に深さの異なる二つの水平面部と、この両水平面部の間にあって両水平面部を連続的に接続する段差面部をそれぞれ形成するとゝもに、底部下面及び前記両側壁部の上端面をそれぞれ前記両水平面部の上面と平行な平面で形成した段差付きＵ字溝ブロックを上流側に、これよりも側壁部が高い前記段差付きＵ字溝ブロックを下流側に所定間隔をおいてそれぞれ敷設するとゝもに、該両段差付きＵ字溝ブロックの間に底部上面が水平なＵ字溝ブロックを複数個連続して敷設し、前記各Ｕ字溝ブロックの側壁部の上端面が道路面と平行となるように設置することを特徴とする段差付き水路の構築方法。
【請求項２】
両側壁部及び底壁部からなり、底部上面に深さの異なる二つの水平面部と、この両水平面部の間にあって両水平面部を連続的に接続する段差面部をそれぞれ形成するとゝもに、底部下面及び前記両側壁部の上端面をそれぞれ前記両水平面部の上面と平行な平面で形成してなり、前記底部上面の深さが浅い一端側の底部端面に、これと接続する底部上面が水平なＵ字溝ブロックの端部底面を載置する突出部を形成した段差付きＵ字溝ブロックを上流側に、これよりも側壁部が高い段差付きＵ字溝ブロックを下流側に所定間隔をおいてそれぞれ敷設するとゝもに、該両段差付きＵ字溝ブロックの間に前記底部上面が水平なＵ字溝ブロックを複数個連続して敷設し、前記各Ｕ字溝ブロックの側壁部の上端面が道路面と平行となるように設置する際に、前記底部上面が水平なＵ字溝ブロックの下流側における端部底面を、前記段差付きＵ字溝ブロックの上流側における底部端面に形成した前記突出部の上に載置して連接することを特徴とする段差付き水路の構築方法。
【請求項３】
前記段差付きＵ字溝ブロックの前記段差面部が傾斜面部であることを特徴とする請求項１又は２記載の段差付き水路の構築方法。
【発明の詳細な説明】
【０００１】
【発明の属する技術分野】
本発明は、段差付きＵ字溝ブロックを用いて水路を構築する段差付き水路の構築方法に関する。
【０００２】
【従来の技術】
道路の側方で雨水や排水等を流すための水路手段として、溝の深さが全長にわたって一定のもの、すなわち、底部上面がＵ字溝ブロックの全長にわたって水平なＵ字溝を使用しているが、これを道路の側溝として使用すると水路勾配が道路面と平行となり、水平な道路では流速が得られない。したがって、排水能力が劣るとゝもに、底部上面に砂，泥，ゴミ等が沈殿，堆積し、排水不良を生じさせ易かった。
【０００３】
このような従来の欠点を解消するため、底部を全面開放した門型の側溝を用い、現場打ちコンクリートにより水路の底部上面に勾配を持たせた底部を形成する方法、すなわち、門型の側溝ブロックを順次並べて敷設し、開放されたその底部にコンクリートを打設した後、該現場打ちコンクリートの上面に緩やかな勾配の傾斜面を無段階的に形成するもので、例えば実開昭５６−５１１１３号公報や特開平７−１８９３３１号公報等に開示されている。また、実開昭６０−１０４４３２号公報には、Ｕ字溝ブロックを並べて水路を構築した時に、水路底部の水流面が一方向に傾斜するように、予めＵ字溝ブロックの底部上面を傾斜面部で形成した構成の勾配水路用ブロックが開示されている。
【０００４】
【発明が解決しようとする課題】
しかしながら、上記のような現場打設コンクリートにより底部上面に勾配を設ける方法は施工工事に多大の労力と時間を要するとゝもに、工費も嵩み、さらに現場打設コンクリートで長距離にわたって緩やかな勾配を持たせるためには熟練した作業員が必要である。
【０００５】
また、前記実開昭６０−１０４４３２号公報に開示された勾配水路用ブロックは、これを工場で成型する時に、設置する現場に合った勾配面となるように、底部上面を一方向に傾斜させたものを成型している。すなわち、水路の長さ，水路の勾配，Ｕ字溝ブロックの数，水の流量などから流水面の勾配を計算し、底部上面にこの勾配をつけたＵ字溝ブロックを工場で生産している。したがって、現場の状況に合わせてその都度勾配を設計し、底部上面の傾斜角度を変える必要があり、大量生産に向かなかった。
【０００６】
【課題を解決するための手段】
本発明は、上記のような従来の諸問題点を解消するために成されたもので、底部上面が水平な従来形のＵ字溝ブロックとの組み合わせにより、どのような水路勾配にも自在に対応することが出来るとゝもに、水質の浄化機能をも具備したものを提供することを目的としたものであり、その要旨は、両側壁部及び底壁部からなり、底部上面に深さの異なる二つの水平面部と、この両水平面部の間にあって両水平面部を連続的に接続する段差面部をそれぞれ形成するとゝもに、底部下面及び前記両側壁部の上端面をそれぞれ前記両水平面部の上面と平行な平面で形成した段差付きＵ字溝ブロックを上流側に、これよりも側壁部が高い前記段差付きＵ字溝ブロックを下流側に所定間隔をおいてそれぞれ敷設するとゝもに、該両段差付きＵ字溝ブロックの間に底部上面が水平なＵ字溝ブロックを複数個連続して敷設し、前記各Ｕ字溝ブロックの側壁部の上端面が道路面と平行となるように設置することを特徴とする段差付き水路の構築方法にある。
【０００７】
【発明の実施の形態】
以下、本発明を図面に示す実施例により詳細に説明すると、図１乃至図３において１は本発明に係る段差付きＵ字溝ブロックで、両側壁部２，２と、該両側壁部２，２をその下部で連結した底壁部３とからなるＵ字形状のものであり、前記底壁部３の上面（底部上面４）は、後述するように、深さの異なる二つの水平面部４Ａ，４Ｂと、この両水平面部４Ａ，４Ｂの間にあってこの両面部を連続して接続する段差面部４Ｃの三つの面でそれぞれ形成されている。
【０００８】
４は底部上面で、該底部上面４は、上流側に向け設置する段差付きＵ字溝ブロック１の一端側に形成した浅底の水平面部（浅底水平面部）４Ａと、下流側に向け設置する他端側に形成した深底の水平面部（深底水平面部）４Ｂと、ほゞ中央部に形成した段差面部４Ｃでそれぞれ形成されている。この段差面部４Ｃは、前記浅底水平面部４Ａの後端と深底水平面部４Ｂの前端とを垂直な垂下面部（図示せず）で構成され、或いは図３に示すように、前記浅底水平面部４Ａの後端から深底水平面部４Ｂの前端に向け次第に下降傾斜す傾斜面部４Ｃで構成されている。なお、図中５は上流側に設置する一端側の底部端面に設けた突出部で、これと接続する後述の従来形Ｕ字溝ブロック６の端部底面を載置するために使用するものである。
【０００９】
次に、前記構成からなる段差付きＵ字溝ブロック１を用い、底部上面が水平面とした従来形のＵ字溝Ａと組み合わせて水路を構築する方法を、図４及び図５を用いて説明する。なお、ここで使用する段差付きＵ字溝ブロック１及び前記従来形のＵ字溝ブロック６の長さはそれぞれ、例えば規格品の大きさである２ｍとし、また段差付きＵ字溝ブロック１の前記浅底水平面部４Ａと深底水平面部４Ｂとの段差Ｈが１０ｃｍとしたものを使用する。
【００１０】
図４は水路の勾配が１％（１／１００）の場合の施工方法で、先ず上流側に本発明に係る段差付きＵ字溝ブロック１Ａを一個設置し、その下流側に底部上面が水平面とした従来形Ｕ字溝ブロック（以下、従来形Ｕ字溝ブロックと言う）６を４個並べて接続する。この場合、段差付きＵ字溝ブロック１の下流側に位置する前記深底水平面部４Ｂと、従来形Ｕ字溝ブロック６の底部上面とが面一となるように設置すること勿論である。
【００１１】
これにより、水路の底面が１０ｍごとに１０ｃｍ下がる勾配１％の水路を形成できるが、更にこの勾配の水路を延長する場合には、従来形Ｕ字溝ブロック６の下流側に発明に係る段差付きＵ字溝ブロック１Ｂを設置し、前記従来形Ｕ字溝ブロック６の端部を前記段差付きＵ字溝ブロック１Ｂの突出部５上に乗せて接続する。そして、該段差付きＵ字溝ブロック１Ｂの下流側に、前記と同様の方法により従来形Ｕ字溝ブロック６を４個接続し、この作業パターンを繰り返すことにより、所望長さの水路を構築する。
【００１２】
図５は水路の勾配が０．１％（１／１０００）の場合の施工方法で、１００ｍごとに本発明に係る段差付きＵ字溝ブロック１Ａ，１Ｂを各一個設置し、その間に従来形Ｕ字溝ブロック６を４９個を、図４に示す場合と同様の方法により接続すれば、水路の底面が１００ｍごとに１０ｃｍ下がる勾配０．１％の水路を構築できる。
【００１３】
以上のように、発明においては、本発明に係る段差付きＵ字溝ブロック１と、従来形Ｕ字溝ブロック６との接続個数を変えることにより、任意の勾配を有する水路を形成することが出来る。すなわち、水路が長く緩やかな勾配が必要な場合は従来形Ｕ字溝ブロック６の接続個数を多くすればよいし、反対に水路が短く比較的急な勾配が必要な場合は従来形Ｕ字溝ブロック６の接続個数を少なくすればよく、段差付きＵ字溝ブロック１に対する従来形Ｕ字溝ブロック６の組み合わせ個数の割合を変えることにより、水路の勾配を自由に変更可能となる。
【００１４】
また、段差付きＵ字溝ブロック１と従来形Ｕ字溝ブロック６とを夫々の側壁部の上端面が道路面Ｒと平行になるように設置し、その接続部を目地埋めするだけで任意の勾配を有する水路を自在に構築することが出来るため施工が容易である。また、構築する水路の長さが長い場合には、上流側と下流側では道路面Ｒからの深さが異なるため、側壁部２の高さが異なる段差付きＵ字溝ブロック１及び従来形Ｕ字溝ブロック６を用意する必要がある。しかし、水路の勾配によっても異なるが、上記実施例でも明らかなように２乃至３種  類のＵ字溝ブロックを用意すればよく、しかも底部上面に複数の傾斜勾配をもつＵ字溝ブロックを用意する場合と比較して、設計，量産性において能率が格段に向上する。
【００１５】
つぎに、上記のようにして構築した水路内を水が流下する際の作用を説明すると、段差付きＵ字溝ブロック１にはその中央部に段差面部４Ｃを有するため、その上流側に設置した浅底水平面部４Ａ上を緩やかに流れてきた排水等は、短い距離で段差Ｈのある前記段差面部４Ｃにおいて前記深底水平面部４Ｂ上に落下し、水の流れに適度な加速度がつく。
【００１６】
この加速度により水は停滞することなくスムーズに流下するとゝもに、前記深底水平面部４Ｂ上に落下或いは流下した際に跳水が発生し、水が泡立つ。この跳水及び泡立の発生により水は酸素と接触し、酸素を巻き込んで混入するので、微生物の働きを促して有機汚濁物質の分解を促進する。本発明の水路では何段かにわたりこのような段差を設けるので、優れた流水能力を持つと同時に水質の浄化作用を期待することができる。
【００１７】
ここで、前記段差面部４Ｃを垂下面部とした場合には、跳水及び泡立の発生は顕著であるが、垂直な段差の角部で水が逆流し、ゴミや砂などがこの角部に滞留する場合もある。したがって、ゴミや砂などが側溝内に入り易い場所に設置する場合には、前記段差面部４Ｃを傾斜面部とすることにより解消できる。
【００１８】
【発明の効果】
本発明は上記のような構成であるから、（１）量産性において優れている。（２）施工が容易である。（３）どのような水路勾配にも自在に対応することが出来る。（４）水質の浄化機能を具備する。といった諸効果がある。
【図面の簡単な説明】
【図１】  本発明に係る段差付きＵ字溝ブロックの正面図である。
【図２】  同背面図である。
【図３】  図１の縦断面図である。
【図４】  水路の構築状態を示す説明断面図である。
【図５】  水路の他の構築状態を示す説明断面図である。
【符号の説明】
１  段差付きＵ字溝ブロック
２  側壁部
３  底壁部
４  底部上面
４Ａ  浅底水平面部
４Ｂ  深底水平面部
４Ｃ  段差面部
５  突出部
６  従来形Ｕ字溝ブロック
【図１】
0004547055.tif 000002
【図２】
0004547055.tif 000003
【図３】
0004547055.tif 000004
【図４】
0004547055.tif 000005
【図５】
0004547055.tif 000006